(57)【要約】  種々の通信システムは、アップリンク通信の適切な取り扱いから利益が得られる。例えば、あるワイヤレス通信システムは、アンライセンス帯域動作のためのアップリンクカバレージ拡張から利益が得られる。方法は、第１の出発物理的リソースブロックを有する第１のインターレースを構成することを含む。又、この方法は、第１の物理的リソースブロックからオフセットされた第２の出発物理的リソースブロックを有する第２のインターレースを構成することも含む。更に、この方法は、第１インターレース及び第２インターレースの結合に基づいて信号を送信又は受信することを含む。その結合は、各測定インターバルにおいて少なくとも１つのクラスターであるが２つ未満であるクラスターを含む。【選択図】図３Ａ
2019508930.tif 000002
【特許請求の範囲】
【請求項１】
第１の出発物理的リソースブロックを有する第１のインターレースを構成し、
前記第１の物理的リソースブロックからオフセットされた第２の出発物理的リソースブロックを有する第２のインターレースを構成し、
前記第１インターレース及び第２インターレースの結合に基づいて信号を送信又は受信する、
ことを含み、前記結合は、各測定インターバルにおいて少なくとも１つのクラスターであるが２つ未満であるクラスターを含む、方法。
【請求項２】
前記第１インターレース及び第２インターレースを構成することは、アクセスノードがユーザ装置へアップリンクグラントにおいて構成を送信することを含み、及び前記信号を受信することは、ユーザ装置からの信号をアクセスノードにおいて受信することを含む、請求項１に記載の方法。
【請求項３】
前記第１インターレース及び第２インターレースを構成することは、ユーザ装置がアクセスノードからアップリンクグラントにおいて構成を受信することを含み、及び前記信号を送信することは、ユーザ装置からの信号をアクセスノードへ送信することを含む、請求項１に記載の方法。
【請求項４】
前記第１インターレース及び第２インターレースは、両方とも、ブロックインターリーブ型周波数分割多重アクセスインターレースである、請求項１から３のいずれかに記載の方法。
【請求項５】
前記信号は、アップリンク信号を含む、請求項１から４のいずれかに記載の方法。
【請求項６】
前記第１インターレースのクラスターサイズは、前記第２インターレースのクラスターサイズと同じである、請求項１から５のいずれかに記載の方法。
【請求項７】
前記信号の電力スペクトル密度は、測定インターバルにおいて所定限界を越えるのを回避するように制御される、請求項１から６のいずれかに記載の方法。
【請求項８】
前記電力スペクトル密度の制御は、測定インターバルごとの最大電力スペクトル密度を考慮するように構成される、請求項１から７のいずれかに記載の方法。
【請求項９】
前記電力スペクトル密度の制御は、チャンネル帯域巾を考慮するように構成される、請求項１から８のいずれかに記載の方法。
【請求項１０】
前記電力スペクトル密度の制御は、要求される電力低下を考慮するように構成される、請求項１から９のいずれかに記載の方法。
【請求項１１】
前記信号はクラスター特有に制御される、請求項１から１０のいずれかに記載の方法。
【請求項１２】
前記信号はクラスター特有の電力制御に基づいて制御される、請求項１から１１のいずれかに記載の方法。
【請求項１３】
前記信号はクラスター特有のドロッピングに基づいて制御される、請求項１から１２のいずれかに記載の方法。
【請求項１４】
前記クラスター特有の制御は、初期の非限定送信電力レベルを考慮する、請求項１１から１３のいずれかに記載の方法。
【請求項１５】
前記クラスター特有の制御は、電力スペクトル密度限界内の最大送信電力レベルを考慮する、請求項１１から１４のいずれかに記載の方法。
【請求項１６】
測定インターバルが１つを越えるクラスターを含むかどうか決定し、及び
その決定された測定インターバルに対応する規定のクラスターに対して特殊な取り扱いを適用する、
ことを更に含む、請求項１から１３のいずれかに記載の方法。
【請求項１７】
前記特殊な取り扱いは、その決定された測定インターバルに対し電力スペクトル密度の限界が満足されることを保証するように構成される、請求項１６に記載の方法。
【請求項１８】
前記特殊な取り扱いは、物理的リソースブロックドロッピング、物理的リソースブロック特有の電力低下、又はサブキャリアドロッピング、の少なくとも１つを含む、請求項１６又は１７に記載の方法。
【請求項１９】
第１の出発物理的リソースブロックを有する第１のインターレースを構成する手段、
前記第１の物理的リソースブロックからオフセットされた第２の出発物理的リソースブロックを有する第２のインターレースを構成する手段、
前記第１インターレース及び第２インターレースの結合に基づいて信号を送信又は受信する手段、
を備え、前記結合は、各測定インターバルにおいて少なくとも１つのクラスターであるが２つ未満であるクラスターを含む、装置。
【請求項２０】
前記第１インターレース及び第２インターレースを構成することは、アクセスノードがユーザ装置へアップリンクグラントにおいて構成を送信することを含み、及び前記信号を受信することは、ユーザ装置からの信号をアクセスノードにおいて受信することを含む、請求項１９に記載の装置。
【請求項２１】
前記第１インターレース及び第２インターレースを構成することは、ユーザ装置がアクセスノードからアップリンクグラントにおいて構成を受信することを含み、及び前記信号を送信することは、ユーザ装置からの信号をアクセスノードへ送信することを含む、請求項１９に記載の装置。
【請求項２２】
前記第１インターレース及び第２インターレースは、両方とも、ブロックインターリーブ型周波数分割多重アクセスインターレースである、請求項１９から２１のいずれかに記載の装置。
【請求項２３】
前記信号は、アップリンク信号を含む、請求項１９から２２のいずれかに記載の装置。
【請求項２４】
前記第１インターレースのクラスターサイズは、前記第２インターレースのクラスターサイズと同じである、請求項１９から２３のいずれかに記載の装置。
【請求項２５】
前記信号の電力スペクトル密度は、測定インターバルにおいて所定限界を越えるのを回避するように制御される、請求項１９から２４のいずれかに記載の装置。
【請求項２６】
前記電力スペクトル密度の制御は、測定インターバルごとの最大電力スペクトル密度を考慮するように構成される、請求項１９から２５のいずれかに記載の装置。
【請求項２７】
前記電力スペクトル密度の制御は、チャンネル帯域巾を考慮するように構成される、請求項１９から２６のいずれかに記載の装置。
【請求項２８】
前記電力スペクトル密度の制御は、要求される電力低下を考慮するように構成される、請求項１９から２７のいずれかに記載の装置。
【請求項２９】
前記信号は、クラスター特有に制御される、請求項１９から２８のいずれかに記載の装置。
【請求項３０】
前記信号は、クラスター特有の電力制御に基づいて制御される、請求項１９から２９のいずれかに記載の装置。
【請求項３１】
前記信号は、クラスター特有のドロッピングに基づいて制御される、請求項１９から３０のいずれかに記載の装置。
【請求項３２】
前記クラスター特有の制御は、初期の非限定送信電力レベルを考慮する、請求項２９から３１のいずれかに記載の装置。
【請求項３３】
前記クラスター特有の制御は、電力スペクトル密度限界内の最大送信電力レベルを考慮する、請求項２９から３２のいずれかに記載の装置。
【請求項３４】
測定インターバルが１つを越えるクラスターを含むかどうか決定し、及び
その決定された測定インターバルに対応する規定のクラスターに対して特殊な取り扱いを適用する、
ことを更に含む、請求項１９から３３のいずれかに記載の装置。
【請求項３５】
前記特殊な取り扱いは、その決定された測定インターバルに対し電力スペクトル密度の限界が満足されることを保証するように構成される、請求項３４に記載の装置。
【請求項３６】
前記特殊な取り扱いは、物理的リソースブロックドロッピング、物理的リソースブロック特有の電力低下、又はサブキャリアドロッピング、の少なくとも１つを含む、請求項３４又は３５に記載の装置。
【請求項３７】
少なくとも１つのプロセッサ、及び
少なくとも１つのメモリ及びコンピュータプログラムコード、
を備えた装置において、少なくとも１つのメモリ及びコンピュータプログラムコードは、少なくとも１つのプロセッサとで、装置が、少なくとも、請求項１から１８のいずれかに記載の方法を含むプロセスを遂行するようにさせるよう構成された、装置。
【請求項３８】
請求項１から１８のいずれかに記載の方法を含むプロセスを遂行するためのインストラクションをエンコードするコンピュータプログラム製品。
【請求項３９】
ハードウェアで実行されたとき、請求項１から１８のいずれかに記載の方法を含むプロセスを遂行するインストラクションでエンコードされた非一時的コンピュータ読み取り可能な媒体。
【請求項４０】
各々請求項１９から３７のいずれかに記載の装置であって、信号を使用して互いに通信するように構成された２つの装置を備えたシステム。
【発明の詳細な説明】
【技術分野】
【０００１】
種々の通信システムは、アップリンク通信の適切な取り扱いから利益が得られる。例えば、あるワイヤレス通信システムは、アンライセンス（免許不要）帯域動作のためのアップリンクカバレージ拡張から利益が得られる。
【背景技術】
【０００２】
長期進化（ＬＴＥ）ライセンス支援アクセス（ＬＡＡ）のリリース１３（Ｒｅｌ−１３）は、他のテクノロジーと共存し且つ規制要件を満足しながらアンライセンススペクトルへのライセンス支援アクセスを与える。Ｒｅｌ−１３  ＬＡＡでは、アンライセンススペクトルを使用してＬＴＥダウンリンク（ＤＬ）のスループットを改善することができる。
【０００３】
Ｒｅｌ−１３では、１つ以上のＬＡＡ  ＤＬ二次セル（ＳＣｅｌｌ）がユーザ装置（ＵＥ）に対してＤＬキャリアアグリゲーション（ＣＡ）構成の一部分として構成されるが、一次セル（ＰＣｅｌｌ）は、ライセンス（免許取得）スペクトル上にある必要がある。ＬＴＥ  ＬＡＡは、ＬＴＥ  Ｒｅｌ−１４においてアンライセンススペクトルでのＬＡＡ  ＵＬ送信をサポートするように進化する。
【０００４】
ＣＡ枠組みに基づくＲｅｌ−１３の標準化ＬＴＥ  ＬＡＡ解決策は、ライセンス帯域内でＰＣｅｌｌを経てアップリンク制御情報（ＵＣＩ）を送信することを仮定している。しかしながら、ＬＡＡは、物理的アップリンク制御チャンネル（ＰＵＣＣＨ）を含むアップリンクサポートで、及び二重接続動作において、拡張することができる。従って、ある解決策は、ライセンススペクトルにおけるＰＣｅｌｌとアンライセンススペクトルにおけるＳＣｅｌｌとの間の非理想的バックホールを許す。３ＧＰＰ  Ｒｅｌ−１４ワークアイテムは、ＬＡＡ  ＵＬサポート（ＬＴＥのためのエンハンストＬＡＡ、ＲＰ−１５２２７２）を導入し、これは、参考としてここにそのまま援用される。
【０００５】
更に、アンライセンススペクトルではスタンドアローンＬＴＥ動作が行われる。アンライセンススペクトルでのＬＴＥスタンドアローン動作は、進化型ノードＢ（ｅＮＢ）／ＵＥエアインターフェイスが、ライセンススペクトル上にキャリアをもたずにアンライセンススペクトルのみに依存することを意味する。マルチファイア（ＭＬＦ）は、アンライセンススペクトル上にスタンドアローンＬＴＥ動作を合体するシステムの一例である。
【０００６】
アンライセンスキャリアでのＬＴＥ動作では、規制ルールに基づき、ＵＥは、ＵＬ送信の前に、リッスン・ビフォア・トーク（ＬＢＴ）を遂行する必要がある。しかし、幾つかの例外も存在する。例えば、少なくともある地域では、ＷｉＦｉ動作と同様に、ＤＬ送信の直後に、ＬＢＴなしに、確認／否定確認（ＡＣＫ／ＮＡＣＫ）フィードバックの送信が考えられる。ＥＴＳＩによりヨーロッパ用に定義されたショートコントロールシグナリング（ＳＣＳ）ルールは、ＬＢＴを遂行せずに５０ｍｓの期間にわたる５％以下のデューティサイクルでのコントロールシグナリングの送信を許す。
【０００７】
定義：ショートコントロールシグナリング送信は、他の信号の存在についてチャンネルを感知せずマネージメント及びコントロールフレーム（例えば、ＡＣＫ／ＮＡＣＫ信号）を送信するために適応装置により使用される送信である。注：適応装置は、ショートコントロールシグナリング送信を実施することが要求されない。実施された場合は、適応装置のショートコントロールシグナリング送信は、５０ｍｓの観察期間内に５％の最大デューティサイクルをもつ必要がある。
【０００８】
更に、少なくともある地域では、スケジュール型ＵＬ送信が、一般的に、ＬＢＴなしに許され、それは、送信がＤＬ送信に直接続くもので、その前にｅＮＢがＬＢＴを遂行したときであり、そしてＤＬ及びＵＬの両方をカバーする全送信時間は、規制者により定義された最大Ｔｘバースト時間により制限される。
【０００９】
ブロックインターリーブ型直交周波数分割多重アクセス（Ｂ−ＩＦＤＭＡ）は、アンライセンススペクトルにおいてアップリンク送信に使用できる基線アップリンク送信スキームである。ワイドバンド送信は、ＥＴＳＩのような規制ルールにより要求され、例えば、全ての信号が隣接ノードにより容易に検出可能である必要がある。
【００１０】
図１は、１０個の等間隔クラスターを有するインターレースにおけるＢ−ＩＦＤＭＡによる物理的アップリンク共有チャンネル（ＰＵＳＣＨ）送信の原理を示す。図１に示した解決策は、物理的リソースブロック（ＰＲＢ）粒度に関してＬＴＥとの良好な共存を保証するものである。又、図１の解決策は、良好な多重化容量、１０個までの並列インターレースを与える。又、この解決策は、可変ｘＰＲＢのクラスターサイズに関して可変クラスターサイズによる良好なリソース拡張性も与える。又、この解決策は、所与のクラスターサイズをもつ全てのインターレースに対して固定サイズリソースも与える。そのような解決策の他の利益は、ＰＵＣＣＨ／ＰＵＳＣＨ多重化、及びＥＴＳＩ帯域巾占有ルールとの適合性を良好にサポートすることを含む。
【００１１】
アンライセンス帯域使用は、異なるデバイスの公平且つ等しいスペクトル使用を目的とする異なる規制ルールを伴う。それらのルールは、占有チャンネル帯域巾に関する制限を伴う。例えば、ＥＴＳＩ規格（ＥＴＳＩ  ＥＮ３０１  ８９３、ｖ．１．７．１）では、「公称チャンネル帯域巾は、常時、少なくとも５ＭＨｚでなければならない。占有チャンネル帯域巾は、宣言公称チャンネル帯域巾の８０％ないし１００％でなければならない。スマートアンテナシステム（多数の送信チャンネルをもつデバイス）の場合には、各送信チャンネルがこの要件を満足しなければならない。」
【００１２】
又、アンライセンス帯域使用のルールは、最大電力スペクトル密度（ＰＳＤ）に関する制限も含む。最大ＰＳＤ要件は、多数の異なる地域に存在する（例えば、３ＧＰＰ  ＴＲ３６．８８９を参照）。例えば、その要件は、１ＭＨｚの分解能帯域巾で述べられている。ＥＴＳＩ  ３０１  ８９３仕様書は、例えば、５１５０−５３５０ＭＨｚに対して１０ｄＢｍ／ＭＨｚを要求する。他の場所も同様の制約を伴う。例えば、５．１５−５．７２５ＭＨｚに対するピークＵＥ  ＰＳＤは、米国では、１１ｄＢｍ／ＭＨｚである。
【００１３】
図２は、６個のインターレースをもつＢ−ＩＦＤＭＡを示す。この例では、クラスターサイズ＝１  ＰＲＢ、２０ＭＨｚである。図２に示すこの設計は、１６又は１７個のクラスターを各々有する６個のインターレースをベースとするものである。
【００１４】
この解決策のための最大Ｔｘ電力は、テーブル１に示すように計算することができる。
2019508930.tif 000003
テーブル１
【００１５】
テーブル１に示すように、６個のインターレースでの最大電力損は、０．５１ｄＢのみである。他方、６個のインターレースをもつ設計は、周波数ドメインにおいて６人のユーザの多重化を許すに過ぎない。しかしながら、多重化は、コントロール及びデータの両チャンネルを伴う。更に、ＴＤＤシステムでは、あるＵＬサブフレームは、多数のＵＥ及び多数のサブフレームに対してＵＬコントロールチャンネルを搬送する必要がある。又、ボイスオーバーインターネットプロトコル（ＶｏＩＰ）を含む種々のサービスをサポートする必要もある。これらは、全て、高い多重化能力を有する重要性を強調するものである。
【００１６】
更に、ＰＲＢの数に関するリソースのサイズは、インターレースごとに変化する。多数のリソースサイズの使用は、システムの設計、特に、コントロールプレーンを複雑なものにする。例えば、図２に示す例では、１７のＰＲＢをもつ４つのインターレースと、１６のＰＲＢをもつ２つのインターレースがある。
【００１７】
又、６つのインターレースの頂部において固定サイズのリソースを考慮することもできる。この原理によれば、リソースサイズは、インターレース当たり１６のＰＲＢである。これは、１００ＭＨｚ帯域巾において４％の付加的なオーバーヘッドに対応する４つの未使用のＰＲＢがあることを意味する。
【００１８】
本発明を適切に理解するために、添付図面を参照する。
【図面の簡単な説明】
【００１９】
【図１】１０個の等間隔クラスターを有するインターレースにおけるＢ−ＩＦＤＭＡによるＰＵＳＣＨ送信の原理を示す。
【図２】６個のインターレースをもつＢ−ＩＦＤＭＡを示す。
【図３】幾つかの実施形態により１０個のインターレースに基づくＢ−ＩＦＤＭＡ設計を示す。
【図４】幾つかの実施形態による２つのＢ−ＩＦＤＭＡインターレースの組み合わせを示す。
【図５】幾つかの実施形態により測定インターバルに対するＢ−ＩＦＤＭＡインターレースＡ＋Ｂを示す。
【図６】幾つかの実施形態によりＰloss,AB及びＰmax,ABをクラスターサイズｘの関数として示す。
【図７】幾つかの実施形態によりＢ−ＩＦＤＭＡインターレースＡ＋Ｂの測定例を示す。
【図８】幾つかの実施形態による既定のクラスターを示す。
【図９】幾つかの実施形態による方法を示す。
【図１０】幾つかの実施形態によるシステムを示す。
【発明を実施するための形態】
【００２０】
幾つかの実施形態は、リッスン・ビフォア・トークルールを受けるアンライセンススペクトルにおけるアップリンク（ＵＬ）送信に関するものである。幾つかの実施形態は、ｄＢｍ／ＭＨｚのような限定電力スペクトル密度に関する規制ルールに従って動作するときにＵＬカバレージ拡張のための解決策を提供する。又、幾つかの実施形態は、３ＧＰＰ  ＬＴＥライセンス支援アクセスエンハンスメント、例えば、アップリンク動作のサポート、及びアンライセンスキャリアにおけるあり得るスタンドアローン動作にも適用できる。
【００２１】
幾つかの実施形態は、特に、規制者により課せられる最大ＰＳＤ制限に向けられる。適切な設計でないと、送信帯域巾の小さい信号、例えば、ＵＬコントロール信号は、ピークＰＳＤにより制限される。これは、送信電力の低下及びカバレージの減少を招く。ＭＬＦのようなスタンドアローン動作では、セルのカバレージが、特に、ショートＰＵＣＣＨを使用するときに、ＵＬコントロールチャンネル、例えば、ランダムアクセス（ＲＡ）プリアンブル、物理的アップリンクコントロールチャンネル（ＰＵＣＣＨ）ハイブリッド自動リピート要求確認（ＨＡＲＱ−ＡＣＫ）、及びスケジューリング要求（ＳＲ）により制限される。
【００２２】
より詳細には、幾つかの実施形態は、アンライセンススペクトルにおけるＰＳＤ制限により動作するとき及び１０の倍数のインターレース／クラスターが送信に適用されるときＵＬカバレージ拡張解決策を提供する。従って、幾つかの実施形態は、１０個のインターレースに基づくＢ−ＩＦＤＭＡ設計を使用する。図３は、幾つかの実施形態による１０個のインターレースに基づくＢ−ＩＦＤＭＡ設計を示す。
【００２３】
図３に示すように、ブロック０、１０、２０、３０、等に陰影を使用して示された第１のインターレースについて考える。ＰＳＤ測定に使用される分解能帯域巾は、１ＭＨｚである。従って、図２は、１０のインターレース、クラスターサイズ＝１ＰＲＢ、２０ＭＨｚ公称システム帯域巾、１８ＭＨｚ占有帯域巾、１００ＰＲＢ、各々１８０ＫＨｚのＢ−ＩＦＤＭＡを示している。
【００２４】
２０ＭＨｚ公称システム帯域巾、１８ＭＨｚ占有帯域巾（１００ＰＲＢ、各々１８０ＫＨｚ）での最大送信（Ｔｘ）電力は、テーブル２に示すように計算することができる。
2019508930.tif 000004
テーブル２
【００２５】
テーブル２の例は、１０のクラスターをもつ設計が、１０個のクラスターでの設計が、０．９のスペクトル使用効率を含めて、ＬＴＥ数秘術で達成可能な最大Ｔｘ電力に比して２．６ｄＢの電力損を経験することを示している。この損は、１ＭＨｚ測定インターバルの幾つかが、クラスター間隔が１ＭＨｚより大きいので、送信に使用されないことによるものである。換言すれば、１８ＭＨｚ帯域巾、例えば、１００ＰＲＢ、各々１８０ＫＨｚを仮定して、クラスターの数が１８に等しいときに、ＰＲＢレベルごとにＰＳＤに関して最適な送信電力に到達する。
【００２６】
或いは又、クラスターの数が１８より多い場合には、１ＭＨｚ測定インターバルの幾つかが更に１８０ＫＨｚ又は１ＰＲＢのＰＵＳＣＨを含み、そしてそれらの測定インターバルに従って最大のＰＳＤが定義される。この解決策も、全てのクラスターに対してＰＲＢごとのＰＳＤを減少する必要があるので、最大送信電力の損を招くことがある。
【００２７】
幾つかの実施形態は、アンライセンススペクトルのＰＳＤ制限に従って動作するときにＵＬカバレージ拡張のための特定の構成を提供する。幾つかの実施形態では、ＵＬ送信は、２つのＢ−ＩＦＤＭＡインターレースを含み、それらは、両方とも、１０番目ごとのＰＲＢを占有する。第１のインターレース、即ちインターレースＡは、ＰＲＢａでスタートする。第２のインターレース、即ちインターレースＢは、オフセットｂ＝ａ＋５でスタートする。
【００２８】
幾つかの実施形態では、ａ∈［０、１、２、３、４］である。一緒に結合された２つのＢ−ＩＦＤＭＡインターレースは、単一のリソース、即ち「Ｂ−ＩＦＤＭＡインターレースＡ＋Ｂ」と考えることができる。
【００２９】
インターレースＡ及びインターレースＢのクラスターサイズは、同じである。このサイズは、パラメータｘとして表わされ、ここで、ｘ∈［１、２、３、４］である。
【００３０】
図４は、幾つかの実施形態による２つのＢ−ＩＦＤＭＡインターレースの合成を示す。この例では、クラスターサイズ＝１ＰＲＢ、２０ＭＨｚである。異なる陰影付けから明らかなように、合成されたＢ−ＩＦＤＭＡインターレースＡ＋Ｂは、ブロック２、１２、等のインターレースＡ、及びブロック７、１７、等のインターレースＢの両方を含む。
【００３１】
信号構造Ｂ−ＩＦＤＭＡインターレースＡ＋Ｂは、１ＭＨｚのような各測定インターバル内において信号が少なくとも１つのクラスターを有するが２つ未満のクラスターであるという特性を有する。測定インターバルは、使用チャンネル帯域巾内であり、例えば、０．９＊公称帯域巾内である。換言すれば、クラスター間の間隔は、測定インターバル以下であり、そしてクラスター間隔＋クラスターサイズは、測定インターバルより大きい。更に、クラスターは、等間隔である。
【００３２】
少なくとも１つのクラスターを有するが２つ未満のクラスターであるというこの特性は、測定インターバル内の信号の部分が少なくとも１つのクラスターの帯域巾を有するが２つの全クラスターより少ないという状況を指す。その信号部分は、１つのＢ−ＩＦＤＭＡインターレースＡ＋Ｂ信号の１つ又は２つの物理的クラスターに属する。
【００３３】
これらの特性は、規制者によって与えられるＰＳＤ制限を満足するために合理的な電力制御（ＰＣ）ルールの規定を許す。
【００３４】
図５は、幾つかの実施形態による測定インターバルに対するＢ−ＩＦＤＭＡインターレースＡ＋Ｂを示す。この例では、測定インターバルは、１ＭＨｚである。
【００３５】
幾つかの実施形態は、特に、Ｂ−ＩＦＤＭＡインターレースＡ＋Ｂの使用を取り扱う。その使用は、解決策＃１と称されるＵＬ電力制御設定、及び／又は解決策＃２と称されるクラスター特有電力コントロール及びドロッピング(dropping)を含む。従って、これらの２つの解決策を単独で又は合成して使用することができる。
【００３６】
第１の解決策は、Ｂ−ＩＦＤＭＡインターレースＡ＋Ｂを適用するときの最大送信電力値を決定するための特定の方法に基づくものである。最終的な最大送信電力は、最大送信電力に関する規制又は特定の制限により更に限定されることがある。Ｂ−ＩＦＤＭＡインターレースＡ＋Ｂを適用するときの最大送信電力値は、Ｐmax,ABとして表わすことができる。
【００３７】
Ｐmax,ABの値は、１ＭＨｚ帯域巾部分のような任意の測定インターバルにおいて最大ＰＳＤが所与の限界を越えないように規定することができる。Ｐmax,ABの値は、次の項：即ち、規制者により与えられる最大ＰＳＤ／測定インターバルＰＳＤmax（ｄＢｍ／ＭＨｚ）；例えば、２０ＭＨｚ又は１０ＭＨｚであって、且つ例えば、ＬＴＥにおいて１００又は５０のＰＲＢを含むチャンネル帯域巾ＣｈＢＷ（ＭＨｚ）；及びＰloss,ABとして表わされる所要電力損又は電力低下により規定することもできる。
【００３８】
ＰＳＤ要件を満足するため、Ｐloss,ABは、ＣｈＢＷ＝２０ＭＨｚ及び測定インターバル＝１ＭＨｚを仮定して、次の式、
Ploss,AB = 10*log10((100/18-5+X)) - 10*log10(number_of_clusters/number_of_measurement_intervals)
により決定することができる。但し、ＰＲＢの測定帯域巾は、１ＭＨｚ（即ち、１００ＰＲＢ／１８ＭＨｚ）に等しく、そして占有信号帯域巾は、使用チャンネル帯域巾（＝０．９＊公称帯域巾）に対応する各測定インターバル（１ＭＨｚ）内で少なくとも１つのクラスターであるが２つ未満のクラスターに対応する。クラスターサイズは、Ｘに等しく、そして定数５は、インターレース間のクラスター間隔／オフセットに対応する。
【００３９】
所与の仮定に伴い、Ｐloss,ABは、ｚＰＲＢの任意の測定帯域巾へと一般化することができ、即ち、
Ploss,AB = 
10*log10((z-5+X)) - 10*log10(number_of_clusters/number_of_measurement_intervals)
である。
【００４０】
次いで、Ｐmax,ABは、次のように得られる。
2019508930.tif 000005
Ｂ−ＩＦＤＭＡインターレースＡ＋Ｂを、クラスターサイズｘ＝１及びＰＳＤmax＝１１ｄＢｍ／ＭＨｚで適用するときには、Ｐmax,ABは、テーブル３に示すように得ることができる。
2019508930.tif 000006
テーブル３
【００４１】
テーブル３の計算は、Ｂ−ＩＦＤＭＡインターレースＡ＋Ｂでの最大電力損が、Ｂ−ＩＦＤＭＡインターレースＡ又はＢに比して、１．０９ｄＢ（２．５５−１．４６）小さいことを示している。又、Ｐloss,ABは、以下で明らかとなるように、クラスターサイズｘを増加するとき、更に減少する。更に、６個のインターレース及び対応的に１６又は１７個のクラスターの場合と比較すると、利用可能なリソース要素の数も多くなり、高いコーディング利得を許す。
【００４２】
第２の解決策は、Ｂ−ＩＦＤＭＡインターレースＡ＋Ｂのためのクラスター特有の電力コントロール及び／又はドロッピングに基づくものである。この解決策は、次のステップを含む。即ち、例えば、現在ＰＣルールに基づくＵＬ送信のためにＰunlimitedとして表わされた初期Ｔｘ電力値を決定し、及びＰＳＤ限界で最大Ｔｘ電力値に対応するＰpsd_maxによりＰunlimitedを上方制限することによりＰltdを決定する。但し、
Pltd = min (Punlimited, Ppsd_max) 及び Ppsd_max = PSDmax + 10*log10(0.9*ChBW)
である。
【００４３】
又、第２の解決策は、次のステップも含む。即ち、上述した第１の解決策により、現在Ｂ−ＩＦＤＭＡインターレースＡ＋Ｂのための最大Ｔｘ電力を決定する。但し、現在Ｂ−ＩＦＤＭＡインターレースＡ＋Ｂのための最大Ｔｘ電力は、Ｐmax,ABとして表わすことができ、そしてＰmax,AB＜Ｐpsd_maxの場合には、測定インターバルのどれが１つを越えるクラスターを含むか決定する。
【００４４】
第２の解決策では、決定された各測定インターバルに対応する規定のクラスター又はＰＲＢに対して特殊な取り扱いを適用することができる。特殊な取り扱いの後に、各測定インターバルは、ＰＳＤ制限を満足することができる。特殊な取り扱いは、以下に述べるように、ＰＲＢドロッピング、ＰＲＢ特有の電力低下、及びサブキャリアドロッピングを含む。
【００４５】
第１及び第２の解決策は、様々に実施することができる。幾つかの非限定例を以下に述べる。
【００４６】
第１の解決策を再び参照すれば、図６は、測定インターバルが１ＭＨｚに等しく、ＰＳＤmaxが１１ｄＢｍ／ＭＨｚに対応し、そしてｘが１と５の間で変化すると仮定して、Ｂ−ＩＦＤＭＡインターレースＡ＋ＢのためのＰloss,AB及びＰmax,ABを示す。従って、図６は、幾つかの実施形態によりクラスターサイズｘの関数としてＰloss,AB及びＰmax,ABを示す。
【００４７】
幾つかの実施形態では、Ｂ−ＩＦＤＭＡインターレースＡ＋Ｂは、幾つかのＵＥ／チャンネルについてのみ適用される。例えば、Ｂ−ＩＦＤＭＡインターレースＡ＋Ｂは、セルの縁に位置するＵＥ及び／又はＰＳＤ制限を経験するＵＥのみに適用される。
【００４８】
ＵＥは、最大ＰＳＤに関する情報を受け取るか、又はシステム情報からセル又はネットワークにおいて許される例えば１１ｄＢＭ／ＭＨｚのような周波数測定インターバルごとの最大送信電力に関する情報を受け取る。ＵＥは、最大ＰＳＤ又は測定インターバルごとの最大送信電力に関して受け取った限界を組み込んだ送信電力制御に従って送信電力を調整することができる。ＵＥは、受け取った最大ＰＳＤ限界により送信電力を制限するときにＰＳＤ制限を経験する。
【００４９】
Ｂ−ＩＦＤＭＡインターレースＡ＋Ｂの使用は、ｅＮＢのようなアクセスノードにより完全に制御することができる。例えば、ＰＵＣＣＨ／ＰＵＳＣＨに対し、ｅＮＢは、ＵＥからの例えば電力余力レポートに含まれたＵＬ測定及び／又はフィードバックに基づいてＢ−ＩＦＤＭＡインターレースＡ＋Ｂを選択する。対照的に、ＲＡプリアンブルに対し、その選択は、ＤＬ経路損測定値、及びシステム情報から得られる所定のルールに基づき、ＵＥにより行われてもよい。
【００５０】
Ｂ−ＩＦＤＭＡインターレースＡ＋Ｂは、個々に考えられるＡ又はＢのような普通のＢ−ＩＦＤＭＡインターレースと同様なフォーマットを適用してもよい。従って、インターレースＡ＋Ｂは、シーケンス変調又は（ＤＦＴ−Ｓ−）ＯＦＤＭＡのいずれかを適用してもよい。
【００５１】
上述したように、第２の解決策は、ＰＲＢ又はサブキャリアドロッピングを伴う。このドロッピングは、Ｂ−ＩＦＤＭＡインターレースＡ＋Ｂ内で利用できるリソース要素の数を減少することができる。これは、ＵＥ及びｅＮＢの両方が同じドロッピングルールに従うのであれば、決定論的に行うことができる。
【００５２】
図７は、幾つかの実施形態によるＢ−ＩＦＤＭＡインターレースＡ＋Ｂの測定例を示す。この例では（２０ＭＨｚ、ｘ＝１）、１つを越えるクラスターを有する決定された測定インターバルとして考えられる４つの測定インターバル（＃１、＃２、＃１０、＃１１）がある。更に、決定された測定インターバル内には全部で６個のクラスターが位置される。
【００５３】
図８は、幾つかの実施形態による既定のクラスターを示す。図８に示すように、ＰＲＢ５及び５５と共に位置されるクラスターは、規定のクラスターと考えられる。それらは、例えば、完全にドロップすることができる。このドロッピングは、上述したように、特殊な取り扱いと考えられる。ドロッピングの後に、全ての測定インターバルは、せいぜい、１つのクラスターを含む。
【００５４】
特殊な取り扱いは、決定された測定インターバルに対応する１つ以上のクラスターに適用される。ＰＲＢドロッピングは、あるＰＲＢが全く送信されない場合の動作に対応する。サブキャリアドロッピングは、ＰＲＢドロッピングと同様である。送信されないサブキャリアは、ＰＲＢではなく、１つのサブキャリア／リソース要素の粒度で選択することができる。
【００５５】
ＰＲＢ／クラスター特有の電力制御は、各測定インターバルのＰＳＤ限界を満足するように、決定された測定インターバル内の規定のＰＲＢ／クラスターのＴｘ電力又は電力スペクトル密度を低下させることのできる電力制御に対応する。
【００５６】
１つを越えるクラスターを伴う測定インターバルを見出すか、さもなければ、決定するための方法は、種々のものがある。それ故、次は、決定された測定インターバルをどのように見出すかの一例である。この例は、２０ＭＨｚ、１００ＰＲＢ、測定インターバル＝１ＭＨｚでのシナリオに関連する。
【００５７】
この例において、ｊ＝Ｂ−ＩＦＤＭＡインターレースＡ＋Ｂの相対的クラスターインデックス（０、１、・・・１９）；ｍ（ｊ）＝クラスターインデックスのＰＲＢインデックス、ｍ（ｊ）∈［０、１、・・・９９］；及びｎ＝測定インターバルインデックス（０、１、・・・１９）。
【００５８】
前記決定は、各クラスターの測定インターバルインデックスｎ（ｊ）＝フロア（ｍ(ｊ)／(１００／１８)）を決定することにより開始される。次いで、いずれのｊについても、ｎ（ｊ）＝ｎ（ｊ＋１）である場合には、クラスターｊに対して特殊な取り扱いが必要であると決定される。さもなければ、特殊な取り扱いは、要求されない。
【００５９】
図９は、幾つかの実施形態による方法を示す。図８に示すように、方法は、９１０において、第１の出発物理的リソースブロックを有する第１のインターレースを構成することを含む。この第１のインターレースは、前記インターレースＡである。又、この方法は、９２０において、第１の物理的リソースブロックからオフセットされた第２の出発物理的リソースブロックを有する第２のインターレースを構成することも含む。この第２のインターレースは、前記インターレースＢである。この構成は、製造者の構成、ネットワーク更新、手動構成、又はソフトウェアベースの構成のような望ましい方法で実行することができる。又、他のメカニズムも許される。この構成は、ｅＮｏｄｅＢのようなアクセスノードにより実行することができる。ｅＮｏｄｅＢは、ＵＥにＰＤＣＣＨ  ＵＬグラントでインターレースＡ及びＢを指示することができる。又、他のメカニズムも許される。
【００６０】
この方法は、更に、９３０において、第１インターレース及び第２インターレースの結合に基づいて信号を通信する（例えば、送信及び／又は受信する）ことを含む。この結合は、各測定インターバルに少なくとも１つのクラスターを含むが２つ未満のクラスターである。この結合は、前記Ｂ−ＩＦＤＭＡインターレースＡ＋Ｂである。例えば、第１及び第２の両インターレースは、例えば、図４に示すように、ブロックインターリーブ周波数分割多重アクセスインターレースである。
【００６１】
９３０における通信は、種々に具現化することができる。例えば、ＵＥは、９１０及び９２０においてｅＮＢから受け取った構成に従って信号を送信し、ｅＮｏｄｅＢは、その信号を受信する。
【００６２】
第１インターレース及び第２インターレースの結合に基づき信号を送信又は受信することは、セルの縁に位置する対応ユーザ装置、又は電力スペクトル密度限界を経験する対応ユーザ装置の少なくとも１つを条件とする。この結合を例えばアップリンク通信に適用するための他のユーザ装置特有の基礎も許される。
【００６３】
第１インターレースのクラスターサイズは、第２インターレースのクラスターサイズと同じである。又、他のサイズも許される。
【００６４】
信号の電力スペクトル密度は、測定インターバルにおいて所定の限界を越えるのを回避するように制御することができる。これは、例えば、前記第１の解決策により行われる。電力スペクトル密度の制御は、測定インターバルごとの最大電力スペクトル密度を考慮するように構成される。或いは又、電力スペクトル密度の制御は、チャンネル帯域巾を考慮するように構成されてもよい。或いは又、電力スペクトル密度の制御は、所要電力低下を考慮するように構成されてもよい。電力スペクトル密度の制御は、送信電力制御手順に合体されてもよい。
【００６５】
幾つかの実施形態では、信号は、クラスター特有に制御される。これは、例えば、第２の解決策に従う。従って、信号は、クラスター特有の電力制御に基づき、及び／又はクラスター特有のドロッピングに基づき、制御することができる。
【００６６】
クラスター特有の制御は、初期の非限定送信電力レベルを考慮することができる。又、クラスター特有の制御は、電力スペクトル密度限界内の最大送信電力レベルを考慮することができる。この方法は、更に、９４０において、測定インターバルが１つを越えるクラスターを含むかどうか決定し、そして９４５において、決定された測定インターバルに対応する規定のクラスターのための特殊な取り扱いを適用することを含む。
【００６７】
その特殊な取り扱いは、決定された測定インターバルに対して電力スペクトル密度限界を満足するのを保証するように構成される。スペクトルの取り扱いは、物理的リソースブロックドロッピング、物理的リソースブロック特有の電力低下、又はサブキャリアドロッピングの少なくとも１つを含む。
【００６８】
図１０は、本発明の幾つかの実施形態によるシステムを示す。図９のフローチャートの各ブロックは、ハードウェア、ソフトウェア、ファームウェア、１つ以上のプロセッサ及び／又は回路のような種々の手段又はそれらの組み合わせにより具現化されることを理解されたい。１つの実施形態において、システムは、多数のデバイス、例えば、ネットワーク要素１０１０及びユーザ装置（ＵＥ）又はユーザデバイス１０２０を備えている。このシステムは、１つを越えるＵＥ１０２０及び１つを越えるネットワーク要素１０１０を備えているが、例示のため各々１つしか示されていない。ネットワーク要素は、アクセスポイント、ベースステーション、ｅＮｏｄｅＢ（ｅＮＢ）、又は他のネットワーク要素である。これらデバイスの各々は、１０１４及び１０２４として各々示された少なくとも１つのプロセッサ又はコントロールユニット又はモジュールを備えている。各デバイスには、少なくとも１つのメモリが設けられて、各々、１０１５及び１０２５で示されている。メモリは、例えば、前記実施形態を実行するためにコンピュータプログラムインストラクション又はコンピュータコードが含まれる。１つ以上のトランシーバ１０１６及び１０２６が設けられ、又、各デバイスは、１０１７及び１０２７で各々示されたアンテナも備えている。各々１つのアンテナしか示されていないが、各デバイスには多数のアンテナ及び複数のアンテナ素子が設けられる。例えば、これらデバイスの他の構成が設けられてもよい。例えば、ネットワーク要素１０１０及びＵＥ１０２０は、ワイヤレス通信に加えて、ワイヤード通信用に構成されてもよく、そのような場合に、アンテナ１０１７及び１０２７は、単なるアンテナに限定されることなく、任意の形態の通信ハードウェアを表す。
【００６９】
トランシーバ１０１６及び１０２６は、各々、独立した送信器、受信器でもよいし、又は送受信器でもよいし、或いは送信及び受信の両方に構成されたユニット又はデバイスでもよい。又、送信器及び／又は受信器（無線部に関する限り）は、デバイスそれ自体には位置されずに、例えば、マストに位置されたリモート無線ヘッドとして具現化されてもよい。又、「リキッド(liquid)」又はフレキシブル無線概念によれば、動作及び機能は、ノード、ホスト又はサーバーのような異なるエンティティにおいてフレキシブルに遂行されることが明らかである。換言すれば、分業は、ケースバイケースで変化する。１つの考えられる使用は、ネットワーク要素がローカルコンテンツを配信するようにさせることである。又、１つ以上の機能が、サーバー上で実行できるソフトウェアとして与えられるバーチャルアプリケーションとして具現化されてもよい。
【００７０】
ユーザデバイス又はユーザ装置１０２０は、移動電話又はスマートフォン又はマルチメディアデバイスのような移動ステーション（ＭＳ）、ワイヤレス通信機能が設けられたタブレットのようなコンピュータ、ワイヤレス通信機能が設けられたパーソナルデータ又はデジタルアシスタント（ＰＤＡ）、ワイヤレス通信機能が設けられたポータブルメディアプレーヤ、デジタルカメラ、ポケットビデオカメラ、ナビゲーションユニット、或いはその組み合わせである。ユーザデバイス又はユーザ装置１０２０は、センサ又はスマートメータであるか、或いは単一の一に対して通常構成される他のデバイスである。
【００７１】
規範的実施形態において、ノード又はユーザデバイスのような装置は、図４ないし９に関連して上述した実施形態を具現化するための手段を備えている。
【００７２】
プロセッサ１０１４及び１０２４は、計算又はデータ処理デバイス、例えば、中央処理ユニット（ＣＰＵ）、デジタル信号プロセッサ（ＤＳＰ）、特定用途向け集積回路（ＡＳＩＣ）、プログラマブルロジックデバイス（ＰＬＤ）、フィールドプログラマブルゲートアレイ（ＦＰＧＡ）、デジタルエンハンスト回路、又は同等のデバイス、或いはその組み合わせにより実施される。プロセッサは、単一のコントローラ或いは複数のコントローラ又はプロセッサとして具現化される。更に、プロセッサは、ローカル構成、クラウド構成又はその組み合わせにおいてプロセッサのプールとして具現化される。
【００７３】
ファームウェア又はソフトウェアについては、その具現化は、少なくとも１つのチップセットのモジュール又はユニット（例えば、手順、機能、等）を含む。メモリ１０１５及び１０２５は、独立した適当なストレージデバイス、例えば、非一時的コンピュータ読み取り可能な媒体である。ハードディスクドライブ（ＨＤＤ）、ランダムアクセスメモリ（ＲＡＭ）、フラッシュメモリ、又は他の適当なメモリが使用される。メモリは、単一の集積回路上でプロセッサと結合されてもよいし、又はそれとは個別のものでもよい。更に、コンピュータプログラムインストラクションは、メモリに記憶され、プロセッサによって処理され、適当な形態のコンピュータプログラムコード、例えば、適当なプログラミング言語で書かれたコンパイル型又は解釈型コンピュータプログラムである。メモリ又はデータストレージエンティティは、典型的に、内部のものであるが、サービスプロバイダーから付加的なメモリ容量が得られる場合には、外部のものであっても、又はその組み合わせであってもよい。メモリは、固定でも、取り外し可能でもよい。
【００７４】
メモリ及びコンピュータプログラムインストラクションは、特定デバイスのプロセッサとで、ネットワーク要素１０１０及び／又はＵＥ１０２０のようなハードウェア装置が、前記プロセス（例えば、図９を参照）のいずれかを遂行するようにさせるよう構成される。それ故、幾つかの実施形態では、非一時的なコンピュータ読み取り可能な媒体は、ハードウェアにおいて実行されたとき、前記プロセスの１つのようなプロセスを遂行するコンピュータインストラクション又は１つ以上のコンピュータプログラム（例えば、追加又は更新ソフトウェアルーチン、アプレット又はマクロ）でエンコードされる。コンピュータプログラムは、ｏｂｊｅｃｔｉｖｅ−Ｃ、Ｃ、Ｃ＋＋、Ｃ＃、Ｊａｖａ、等の高レベルプログラミング言語、或いはマシン言語又はアッセンブラーのような低レベルプログラミング言語であるプログラミング言語によりコード化される。或いは又、本発明の幾つかの実施形態は、完全にハードウェアで実施されてもよい。
【００７５】
更に、図１０は、ネットワーク要素１０１０及びＵＥ１０２０を備えたシステムを示しているが、本発明の実施形態は、他の構成、及びここに図示して述べた付加的な要素を伴う構成にも適用することができる。例えば、多数のユーザ装置デバイス及び多数のネットワーク要素が存在してもよいし、又は同様の機能を与える他のノード、例えば、中継ノードのようにユーザ装置及びアクセスポイントの機能を結合するノードが存在してもよい。
【００７６】
幾つかの実施形態は、種々の利益及び／又は効果を有する。例えば、幾つかの実施形態では、良好な多重化特性を妥協することなく、アップリンクカバレージを改善することができる。更に、幾つかの実施形態は、１０個のインターレース及び１０個のクラスター、２０ＭＨｚと完全に適合することができる。又、幾つかの実施形態は、最大の多重化容量でＥＴＳＩ帯域巾占有を満足することができる。
【００７７】
更に、幾つかの実施形態では、Ｂ−ＩＦＤＭＡインターレースＡ＋Ｂのような結合インターレースは、カバレージ制限ＵＥのみにより適合されるが、ほとんどのＵＥは、良好な多重化特性をもつ１０個のインターレースを適用する。
【００７８】
当業者であれば、上述した本発明は、異なる順序のステップ、及び／又はここに開示されたものとは異なる構成のハードウェア要素で実施されてもよいことが容易に理解されよう。それ故、本発明は、好ましい実施形態に基づいて説明したが、当業者であれば、本発明の精神及び範囲を逸脱せずに、幾つかの変更、修正及び代替的構造が明らかであろう。
【００７９】
略語のリスト
３ＧＰＰ：第３世代パートナーシッププロジェクト
ＡＣＫ：確認
ＡＲＩ：ＡＣＫ／ＮＡＣＫリソースインジケータ
Ｂ−ＩＦＤＭＡ：ブロックインターリーブ周波数分割多重化アクセス
ＢＷ：帯域巾
ＣＡ：キャリアアグリゲーション
ＣＣＥ：コントロールチャンネル要素
ＣＤＭ：コード分割多重化
ＣＲＣ：巡回冗長チェック
ＣＳＩ：チャンネル状態情報
ＤＣＩ：ダウンリンクコントロール情報
ＤＬ：ダウンリンク
ｅＮＢ：進化型ノードＢ
ＥＴＳＩ：ヨーロピアンテレコミュニケーションズスタンダードインスティテュート
ＦＤＤ：周波数分割デュープレックス
ＦＤＭ：周波数分割多重化
ＨＡＲＱ：ハイブリッド自動リピート要求
ＩＦＤＭＡ：インターリーブ周波数分割多重化アクセス
ＬＡＡ：ライセンス支援アクセス
ＬＢＴ：リッスン・ビフォア・トーク
ＬＴＥ：長期進化
ＮＡＣＫ：否定確認
ＯＦＤＭＡ：直交周波数分割多重化
ＳＣ−ＦＤＭＡ：単一キャリア周波数分割多重化
ＰＣｅｌｌ：一次セル
Ｐ−ＣＳＩ：周期的チャンネル状態情報
ＰＤＳＣＨ：物理的ダウンリンク共有コントロールチャンネル
ＰＲＡＣＨ：物理的ランダムアクセスチャンネル
ＰＲＢ：物理的リソースブロック
ＰＵＣＣＨ：物理的アップリンクコントロールチャンネル
ＰＵＳＣＨ：物理的アップリンク共有チャンネル
ＲＲＣ：無線リソースコントロール
ＴＤＤ：時分割デュープレックス
ＴＤＭ：時分割多重化
Ｔｘ：送信
ＴＸＯＰ：送信機会
ＵＣＩ：アップリンクコントロール情報
ＵＥ：ユーザ装置
ＵＬ：アップリンク
ＤＦＴ：離散的フーリエ変換
ＰＣ：電力制御
【００８０】
第１の実施形態によれば、方法は、第１の出発物理的リソースブロックを有する第１のインターレースを構成することを含む。又、この方法は、第１の物理的リソースブロックからオフセットされた第２の出発物理的リソースブロックを有する第２のインターレースを構成することも含む。更に、この方法は、第１インターレース及び第２インターレースの結合に基づいて信号を送信又は受信することを含む。その結合は、各測定インターバルにおいて少なくとも１つのクラスターであるが２つ未満であるクラスターを含む。
【００８１】
変形例において、前記第１インターレース及び第２インターレースを構成することは、アクセスノードがユーザ装置へアップリンクグラントにおいて構成を送信することを含み、及び前記信号を受信することは、ユーザ装置からの信号をアクセスノードにおいて受信することを含む。
【００８２】
変形例において、前記第１インターレース及び第２インターレースを構成することは、ユーザ装置がアクセスノードからアップリンクグラントにおいて構成を受信することを含み、及び前記信号を送信することは、ユーザ装置からの信号をアクセスノードへ送信することを含む。
【００８３】
変形例において、前記第１インターレース及び第２インターレースは、両方とも、ブロックインターリーブ周波数分割多重アクセスインターレースである。
【００８４】
変形例において、前記信号は、アップリンク信号を含む。
【００８５】
変形例において、前記第１インターレースのクラスターサイズは、前記第２インターレースのクラスターサイズと同じである。
【００８６】
変形例において、信号の電力スペクトル密度は、測定インターバルにおいて所定限界を越えるのを回避するように制御される。
【００８７】
変形例において、電力スペクトル密度の制御は、測定インターバルごとの最大電力スペクトル密度を考慮するように構成される。
【００８８】
変形例において、電力スペクトル密度の制御は、チャンネル帯域巾を考慮するように構成される。
【００８９】
変形例において、電力スペクトル密度の制御は、要求された電力低下を考慮するように構成される。
【００９０】
変形例において、信号は、クラスター特有に制御される。
【００９１】
変形例において、信号は、クラスター特有の電力制御に基づいて制御される。
【００９２】
変形例において、信号は、クラスター特有のドロッピングに基づいて制御される。
【００９３】
変形例において、クラスター特有の制御は、初期の非限定送信電力レベルを考慮することができる。
【００９４】
変形例において、クラスター特有の制御は、電力スペクトル密度限界内の最大送信電力レベルを考慮することができる。
【００９５】
変形例において、前記方法は、測定インターバルが１つを越えるクラスターを含むかどうか決定し、そしてその決定された測定インターバルに対応する規定のクラスターに対して特殊な取り扱いを適用することを含む。
【００９６】
変形例において、前記特殊な取り扱いは、その決定された測定インターバルに対し電力スペクトル密度の限界が満足されることを保証するように構成される。
【００９７】
変形例において、前記特殊な取り扱いは、物理的リソースブロックドロッピング、物理的リソースブロック特有の電力低下、又はサブキャリアドロッピング、の少なくとも１つを含む。
【００９８】
第２の実施形態によれば、装置は、第１の実施形態による方法を遂行するための手段をその任意の変形例において備えている。
【００９９】
第３の実施形態によれば、装置は、少なくとも１つのプロセッサ、少なくとも１つのメモリ、及びコンピュータプログラムコードを備えている。少なくとも１つのメモリ及びコンピュータプログラムコードは、少なくとも１つのプロセッサとで、装置が、少なくとも、前記第１の実施形態による方法をその任意の変形例において遂行するようにさせるよう構成される。
【０１００】
第４の実施形態によれば、コンピュータプログラム製品は、前記第１の実施形態による方法を含むプロセスをその任意の変形例において遂行するためのインストラクションをエンコードする。
【０１０１】
第５の実施形態によれば、非一時的コンピュータ読み取り可能な媒体は、ハードウェアで実行されたときに、前記第１の実施形態による方法を含むプロセスをその任意の変形例において遂行するインストラクションをエンコードする。
【０１０２】
第６の実施形態によれば、システムは、各々第２又は第３の実施形態による２つの装置であって、信号を使用して互いに通信するように構成された２つの装置を備えている。
【０１０３】
本書に添付されたアペンディックスは、幾つかの実施形態の動作原理の理解を改善するための例示であり、それに限定されないことを理解されたい。
【符号の説明】
【０１０４】
１０１０：ネットワーク要素
１０１４：プロセッサ
１０１５：メモリ
１０１６：トランシーバ
１０１７：アンテナ
１０２０：ユーザ装置
１０２４：プロセッサ
１０２５：メモリ
１０２６：トランシーバ
１０２７：アンテナ
【図１】
2019508930.tif 000007
【図２】
2019508930.tif 000008
【図２Ａ】
2019508930.tif 000009
【図２Ｂ】
2019508930.tif 000010
【図２Ｃ】
2019508930.tif 000011
【図３】
2019508930.tif 000012
【図３Ａ】
2019508930.tif 000013
【図３Ｂ】
2019508930.tif 000014
【図３Ｃ】
2019508930.tif 000015
【図４】
2019508930.tif 000016
【図４Ａ】
2019508930.tif 000017
【図４Ｂ】
2019508930.tif 000018
【図４Ｃ】
2019508930.tif 000019
【図５】
2019508930.tif 000020
【図６】
2019508930.tif 000021
【図７】
2019508930.tif 000022
【図７Ａ】
2019508930.tif 000023
【図７Ｂ】
2019508930.tif 000024
【図７Ｃ】
2019508930.tif 000025
【図８】
2019508930.tif 000026
【図８Ａ】
2019508930.tif 000027
【図８Ｂ】
2019508930.tif 000028
【図８Ｃ】
2019508930.tif 000029
【図９】
2019508930.tif 000030
【図１０】
2019508930.tif 000031
【手続補正書】
【提出日】平成30年8月21日(2018.8.21)
【手続補正１】
【補正対象書類名】特許請求の範囲
【補正対象項目名】全文
【補正方法】変更
【補正の内容】
【特許請求の範囲】
【請求項１】
第１の出発物理的リソースブロックを有する第１のインターレースを構成し、
前記第１の物理的リソースブロックからオフセットされた第２の出発物理的リソースブロックを有する第２のインターレースを構成し、
前記第１インターレース及び第２インターレースの結合に基づいて信号を送信又は受信する、
ことを含み、前記結合は、各測定インターバルにおいて少なくとも１つのクラスターであるが２つ未満であるクラスターを含む、方法。
【請求項２】
前記第１インターレース及び第２インターレースを構成することは、アクセスノードがユーザ装置へアップリンクグラントにおいて構成を送信することを含み、及び前記信号を受信することは、ユーザ装置からの信号をアクセスノードにおいて受信することを含む、請求項１に記載の方法。
【請求項３】
前記第１インターレース及び第２インターレースを構成することは、ユーザ装置がアクセスノードからアップリンクグラントにおいて構成を受信することを含み、及び前記信号を送信することは、ユーザ装置からの信号をアクセスノードへ送信することを含む、請求項１に記載の方法。
【請求項４】
前記第１インターレース及び第２インターレースは、両方とも、ブロックインターリーブ型周波数分割多重アクセスインターレースである、請求項２又は３に記載の方法。
【請求項５】
前記信号は、アップリンク信号を含む、請求項２又は３に記載の方法。
【請求項６】
前記第１インターレースのクラスターサイズは、前記第２インターレースのクラスターサイズと同じである、請求項２又は３に記載の方法。
【請求項７】
前記信号の電力スペクトル密度は、測定インターバルにおいて所定限界を越えるのを回避するように制御される、請求項２又は３に記載の方法。
【請求項８】
前記電力スペクトル密度の制御は、測定インターバルごとの最大電力スペクトル密度を考慮するように構成される、請求項２又は３に記載の方法。
【請求項９】
前記電力スペクトル密度の制御は、チャンネル帯域巾を考慮するように構成される、請求項２又は３に記載の方法。
【請求項１０】
前記電力スペクトル密度の制御は、要求される電力低下を考慮するように構成される、請求項２又は３に記載の方法。
【請求項１１】
前記信号はクラスター特有に制御される、請求項２又は３に記載の方法。
【請求項１２】
前記信号はクラスター特有の電力制御に基づいて制御される、請求項２又は３に記載の方法。
【請求項１３】
前記信号はクラスター特有のドロッピングに基づいて制御される、請求項２又は３に記載の方法。
【請求項１４】
少なくとも１つのプロセッサ、及び
少なくとも１つのメモリ及びコンピュータプログラムコード、
を備えた装置において、前記少なくとも１つのメモリ及びコンピュータプログラムコードは、少なくとも１つのプロセッサとで、装置が、少なくとも、
第１の出発物理的リソースブロックを有する第１のインターレースを構成し、
前記第１の物理的リソースブロックからオフセットされた第２の出発物理的リソースブロックを有する第２のインターレースを構成し、
前記第１インターレース及び第２インターレースの結合に基づいて信号を送信又は受信する、
ようにされるよう構成され、前記結合は、各測定インターバルにおいて少なくとも１つのクラスターであるが２つ未満であるクラスターを含む、装置。
【国際調査報告】
2019508930.tif 000032
2019508930.tif 000033
2019508930.tif 000034